(57)【特許請求の範囲】
【請求項１】
複数のリードを同一端面より引き出した電子部品本体と、この電子部品本体の上記端面に一方の面を当接し他方の面に上記リードが夫々電気的に接続されている金属板端子を有し概略４辺形をなしている絶縁物製の取付板とよりなり、上記金属板端子は上記各リードの接続位置から上記取付板の相対する第１及び第２の側縁まで夫々伸延しており、上記取付板には上記各リードから上記第１及び第２の側縁とは別の第３の側縁へ向けて互に平行なスリットが形成されており、かつ上記取付板にはその側縁において外界に通じている凹溝が上記金属板端子の周縁に沿って形成されていることを特徴とする電子部品。
【請求項２】
請求項１において、上記第１及び第２の側縁から上記各金属板端子の途中まで上記取付板には上記凹溝に代えて夫々スリットが形成されていることを特徴とする電子部品。
【発明の詳細な説明】
【０００１】
【発明の属する技術分野】
この発明は、リード線形式の電子部品のプリント基板への取付を容易にするために、その端面に実装用の絶縁板を取付けた、いわゆるリードレスの電子部品に関する。
【０００２】
【従来の技術】
従来のこの種のリードレス電子部品として、例えば特開昭５９−２１１２１３号公報に示されているような電解コンデンサが存在する。
このリードレスアルミ電解コンデンサは、図２に示すように、コンデンサ素子１を金属ケース２内に収納し、コンデンサ素子１より伸びるリード３、３をケース２の開口端を封口する封口部材４を通して引き出してなるコンデンサ本体５と、このコンデンサ本体５のリード３、３を引き出した端面に当接され、かつリード３、３が貫通する貫通孔６、６及び外表面に設けた貫通孔６、６につながる凹溝７、７を有する絶縁性取付板８とからなり、貫通孔６、６を貫通したリード３、３の先端部を丸棒のまま、又は偏平加工を施して凹溝７、７内に納めるように折曲げ、この折曲げ部から先をプリント基板への半田付部とするものである。
【０００３】
しかし、このコンデンサでは、凹溝７、７内に折曲げて納めたリード３、３の周面の外側部分のみが基板への半田付面となるために半田付面積が小さくなり、コンデンサをプリント基板に面実装する工程において、プリント基板に対するコンデンサの位置決めが困難である。そして、コンデンサとプリント基板の導体との接触面積が狭いために相互間に付着する溶融半田量が少なく、従って、接着強度を十分にとることができない。また、リード３、３を折曲げる際に内部のコンデンサ素子１にストレスが加わって特性を劣化させ易く、これを軽減するためにリード３、３の折曲げ予定箇所に切り込みを入れるなど、予め折曲げ易くすることも行われているが、これにより、プリント基板に実装したコンデンサに衝撃や振動が加わった場合に、リードが折曲げ部で断線することがある。
【０００４】
更にこのようなコンデンサには、コンデンサ素子に取付板を結合する際に、リードを小径の貫通孔に挿通しなければならぬ問題がある。この挿通作業は、手作業で行えば極めて非能率的なものとなり、自動化しようとすればコンデンサ素子と取付板の相互関係に非常な高精度を要し、特にリードが細線の場合は２本のリードが必ずしも平行になっていないので、その取扱いが困難である。そのためにこのような作業を自動化すると、装置が如何に精巧であっても、リードが貫通孔に挿通されずにコンデンサ本体端面と取付板との間で偏平な塊状に圧縮された形となり、このようなものが完成品として送出されることがある。量産工程では、このような不良品が１個でも発見されると、そのロットの製品の全てを廃棄することになるので、これによる損害は非常に大きい。
【０００５】
上述のような取付板付きの電解コンデンサの問題点を解決するために、図３に示すように貫通孔６、６の代わりにスリット９、９を取付板８に設けることが考えられる。同図において、取付板８の外表面には、インサート成形により金属板端子１０、１０が接合されており、取付板８の一側縁８ａから金属板端子１０、１０へ向けて互いに平行なスリット９、９が設けられている。コンデンサ本体５のリード３、３の長さは取付板８の厚さにほぼ等しく、その間隔はスリット９、９の間隔にほぼ等しい。
【０００６】
上述の取付板８とコンデンサ本体５とを結合する際は、リード３、３を取付板側縁８ａからスリット９、９内へ導入し、取付板８とコンデンサ本体５との位置を所定関係に保ち、リード３、３をそれぞれ金属板端子１０、１０へレーザー溶接する。
【０００７】
【発明が解決しようとする課題】
図３に示したコンデンサは、リードを小径の貫通孔へ挿通しなくてよいので生産が容易であり、リードを折曲げなくてよいのでコンデンサ素子への悪影響やリードの断線を回避することができる。また面積が広い金属板端子が存在するため、プリント基板導体への半田付が容易である。例えば、このコンデンサのような電子部品をプリント基板に面実装する場合、プリント基板表面にクリーム半田をスクリーン印刷で所定箇所に塗布し、その上に電子部品を載せ、加熱炉内を通過させることによってクリーム半田を溶解し、金属板端子をプリント基板に半田付けすることができる。しかし、このような半田付けの加熱工程において、金属板端子は取付板とプリント基板との間にあり、これは比較的加熱されにくい所である。一方、過度な加熱は電子部品の特性、例えばコンデンサ特性に悪影響を与えることがあり、炉内温度は少しでも低く、炉内通過時間は少しでも短いことが望まれる。よって、本発明は、半田付けの加熱の際に電子部品取付板とプリント基板の半田付け部に、炉内温度が伝わり易くすることを目的とする。
【０００８】
【課題を解決するための手段】
本発明の電子部品は、複数のリードを同一端面より引き出した電子部品本体と、この電子部品本体の上記端面に一方の面を当接し他方の面に前記リードが夫々電気的に接続されている金属板端子を有し概略４辺形をなしている絶縁物製の取付板とよりなる。上記取付板には、上記各リードの接続位置から上記取付板の相対する第１及び第２の辺まで上記金属板端子が伸延しており、かつ上記各リードから上記第１及び第２の辺とは別の第３の辺へ向けて互にほぼ平行なスリットが形成されている。
【０００９】
本発明の特徴として、上記取付板の他方の面において上記金属板端子の周縁部に沿い取付板の側縁に達する凹溝が設けられている。また、上記取付板の側縁部から上記金属板端子の両側縁に沿って上記金属板端子の中途位置までを上記凹溝に代えてスリットを形成することもできる。
【００１０】
このような本発明は、プリント基板に電子部品を面実装する際に、プリント基板側の電子部品を接続する位置の導体部分にクリーム半田を塗布し、この部分に所定の位置関係で金属板端子が当接するように電子部品を載置し、炉内を通過させて半田付けするとき、金属板端子の周縁部に沿って取付板の面に凹溝を設けてあることによって、プリント基板と取付板の接触面の内部に凹溝を通して炉内雰囲気が流入し易くなり、半田が溶融し易くなる。なお、電子部品の取付板は合成樹脂により金属板端子をインサートして一体成形され、金属板端子はプリント基板の導体面に対向する面が樹脂面と同じ面に露出し、金属板端子厚さ分が合成樹脂内に埋設状態とされることがあり、これは端子板が取付板の合成樹脂部分と強固に結合する上で好ましいことであるが、反面、半田付け加熱の際にプリント基板と取付板の接触面の内部に炉内雰囲気が流入する部分が殆どなく、このような場合に前記凹溝内に炉内雰囲気が流入して半田が溶融し易くなる。
【００１１】
また、金属板端子の端縁が取付板の縁部に達していることにより、熱伝導率の高い金属板端子の端縁が炉内雰囲気に晒されて昇温し、その熱が急速に金属板端子全体に伝わり、半田が溶融し易くなると共に、半田付け完了後に金属板端子の端縁のプリント基板の導体に対する半田付けの良否を目視により観察できるようになる。また、取付板の側縁から金属板端子の両側縁に沿って中途までを凹溝に代えてスリットにすることによって、より一層プリント基板と取付板の接触面の内部に炉内雰囲気が流入し易くなり、半田が溶融し易くなる。
【００１２】
【発明の実施の形態】
本発明の実施の形態を図１を用いて説明する。この実施の形態の電子部品は円筒形アルミ電解コンデンサである。同図（ａ）、（ｂ）において、コンデンサ本体５の端面に絶縁物製の取付板８が当接している。この取付板８は、同図（ｃ）、（ｄ）、（ｅ）に単独で示すように、上面に凸縁部２０、２１が設けられている。そして下面には、対向する側縁８ｂ、８ｃよりそれぞれ中心方向に向けて金属板端子１０、１０が設けられ、また、プリント基板等に半田付けする際の半田層の厚みに相当する突出量の凸部２２、２３、２４、２５、２６が、下面の四隅と金属板端子１０、１０の間を遮断する位置とに突設されている。更に下面には、取付板下面に金属板端子１０、１０の周縁に沿って凹溝２７が設けられている。凹溝２７は、側縁８ｂ、８ｃに到達する途中からスリット３０、３０に代っているが、スリット３０、３０を省略して側縁８ｂ、８ｃまで凹溝２７を設けてもよい。なお、金属板端子１０、１０の先端１０ａ、１０ａは、取付板８の側縁８ｂ、８ｃから夫々僅かに突出している。
【００１３】
図１（ａ）に示すように、コンデンサ本体５の端面からは、取付板の厚さにほぼ等しい長さのリード３、３が導出されている。図１（ｃ）及び（ｄ）に示すように、金属板端子１０、１０及び取付板５は、リード３、３の位置から取付板の側縁８ａへ向けて互にほぼ平行なスリット９、９を有している。上記リード３、３はスリット９、９の最奥部において、金属板端子１０、１０にレーザー溶接されている。なお、本実施形態ではスリット９、９は取付板側縁８ａへ向かうに従って次第に幅が拡大されている。
【００１４】
前記凸縁部２０、２１は、取付板８をコンデンサ本体５に結合する際に利用される。すなわち、リード３、３がスリット９、９に沿って導入されて金属板端子位置へ到達し、コンデンサ本体５の端面の周縁部分が凸縁部２０、２１に当接することによってリード３、３がその位置に規制され、その上で金属板端子１０、１０に溶接される。これによってリード３、３に過大な力を与えないで溶接できる。
【００１５】
図１（ｄ）における１１は金属板端子１０に穿設された結合孔であり、取付板８を型成形する際にインサートされる金属板端子が絶縁物（耐熱性合成樹脂）からなる取付板本体と強力に結合される。
【００１６】
このように構成された電子部品、すなわちアルミ電解コンデンサは、プリント基板３１に面実装する場合、図１（ｆ）に示すように、プリント基板３１側の電子部品を接続する位置の導体３２の部分にクリーム半田３３を、例えばスクリーン印刷によって塗布し、この部分に所定の位置関係で金属板端子１０、１０が当接するように電子部品を載置し、炉内を通過させて半田付けする。電子部品を載置したとき、プリント基板表面には凸部２２〜２６の下面が当接しており、これによって金属板端子１０、１０と導体３２の間の寸法が規制されてクリーム半田３３が適当な厚さの層として存在し、クリーム半田３３の極端なはみ出しが防止され、また凸部２６は金属板端子１０、１０間を区画して半田による電気的な導通を防止する。半田の融点は２２０〜２３０°Ｃであり、炉温は２８０°Ｃ前後で、この中を１０〜２０秒かけて基板を通過させると、半田付けが完了する。
【００１７】
プリント基板３１が炉内を通過するとき、取付板８の側縁８ｂ、８ｃに金属板端子１０、１０の両側の凹溝２７またはスリット３０が開口しているので、これらを通ってプリント基板３１と取付板８の接触面の内部に炉内雰囲気が流入し易くなり、凹溝２７やスリット３０がないものよりも短い時間で半田が溶融する。従って、炉内通過時間が短縮され、その分電子部品が受ける熱による悪影響を軽減できる。また、スリット９が取付板の端縁８ａから金属板端子１０に達しているから、このスリット９内を通っても炉内雰囲気が流入し、この部分からも加熱が進行する。そして前述したようにスリット９は取付板の端縁８ａに向かって幅が広くなっていることにより、炉内雰囲気がより流入し易いから、加熱がより急速に進行し、従って、このようなスリット９を有する構成のものではより炉内通過時間が短縮される。
【００１８】
また、金属板端子１０、１０の端縁１０ａ、１０ａが取付板８の端縁８ｂ、８ｃに達していることから、半田付けを終了した状態は図１（ｆ）に示すクリーム半田３３が溶融してほぼそのまま凝固した状態であり、同図に見られるように金属板端子１０、１０の端縁１０ａ、１０ａを目視により観察でき、半田付けの良否を判断できる。
【００２０】
【発明の効果】
以上のように本発明は、金属板端子の両側に沿って凹溝やスリットを設けたことにより、半田付けのための加熱炉内通過時間を短縮できるから、電子部品の熱による悪影響を軽減できる効果を奏する。また、金属板端子が取付板の端縁に達しているから、半田付け後の、半田付けの良否を目視により判断できる効果を奏する。
【図面の簡単な説明】
【図１】本発明の一実施の形態を示し、（ａ）は部分破断正面図、（ｂ）は平面図、（ｃ）は取付板のみの平面図、（ｄ）は取付板のみの底面図、（ｅ）は（ｄ）のＥ−Ｅ断面図、（ｆ）は（ａ）のＦ−Ｆ断面部分拡大図である。
【図２】従来の面実装型電子部品の一例を示し、（ａ）は部分破断正面図、（ｂ）は底面図である。
【図３】本発明によらない改良された面実装型電子部品を示し、（ａ）は部分破断正面図、（ｂ）は底面図である。
【符号の説明】
１        コンデンサ素子
３        リード
５        コンデンサ本体
８          取付板
８ａ〜８ｃ  取付板の側縁
９          スリット
１０        金属板端子
１０ａ      金属板端子の端縁
２７        凹溝
３０        スリット
【図１】
0003744611.tif 000002
【図２】
0003744611.tif 000003
【図３】
0003744611.tif 000004